(57)【要約】      （修正有）【課題】競技グラウンド表面の温度上昇抑制のための施工が容易なシステムを提供する。【解決手段】競技グラウンドの表層の下に設けられる冷却構造層２０と、この冷却構造層内に設けられ、表層と平行する方向に向かって霧を噴出する噴霧ノズル２７と、この噴霧ノズル２７に給水する給水装置２６（２６１，２６２）とを有し、上記冷却構造層２０は、所定間隔に配置された上側平板状部材２１および下側平板状部材２２と、この間隔を維持するための支持部材２３ａ〜２３ｄ，２４とを有し、噴霧ノズル２７からの霧の通路が内部に形成される。【選択図】図２
2015155638.tif 000002
【特許請求の範囲】
【請求項１】
競技グラウンドの下地層上に所定の間隔をあけて敷設される表層の下に設けられる冷却構造層と、
この冷却構造層内に設けられ、前記表層と平行する方向に向かって霧を噴出する噴霧ノズルと、
この噴霧ノズルに給水する給水装置とを有することを特徴とする競技グラウンド冷却システム。
【請求項２】
前記冷却構造層は、前記下地層と前記表層の間の前記間隔を維持するための支持部材を有し、該所定間隔内に前記噴霧ノズルからの霧の通路が形成されていることを特徴とする請求項１記載の競技グラウンド冷却システム。
【請求項３】
前記冷却構造層は、前記所定間隔をあけて上側平板状部材および／または下側平板状部材を有することを特徴とする請求項２記載の競技グラウンド冷却システム。
【請求項４】
前記給水装置は、前記噴霧ノズルへの給水のために前記冷却構造層内に設けられた導水パイプを含むことを特徴とする請求項１〜３の何れかに記載の競技グラウンド冷却システム。
【請求項５】
前記導水パイプは、前記支持部材の一部として形成されることを特徴とする請求項４記載の競技グラウンド冷却システム。
【請求項６】
さらに、前記給水装置は、給水を制御するコントローラを含み、このコントローラは、前記噴霧状態検出センサーの出力に基づいて、目詰まり解消試行動作を制御することを特徴とする請求項１〜５の何れかに記載の競技グラウンド冷却システム。
【請求項７】
前記コントローラは、前記噴霧状態検出センサーの出力に基づいて、目詰まり箇所を判定することを特徴とする請求項６に記載の競技グラウンド冷却システム。
【発明の詳細な説明】
【技術分野】
【０００１】
本発明は、人工芝などを敷設された競技グラウンド表面の温度上昇を抑制する競技グラウンド冷却システムに関する。
【背景技術】
【０００２】
近年、たとえば東京での真夏日、猛暑日の日数が増加しており、サッカーグラウンド、陸上競技場、テニスコート、学校の校庭などの競技グラウンド表面の温度が６０℃を超えることも珍しくなってきている。このような状況で、スポーツを行うと、競技者、児童、学生などに、熱中症などの健康被害の可能性が高くなる。
【０００３】
ところで、２０２０年に開催が決定した東京オリンピックは、例年猛暑が観測される時期に各種の屋外競技が予定されている。競技グラウンド表面が高温となると、選手の疲労が早まり、実力を十分に発揮できないことが予想される。ホスト国としては、世界の国々からの選手に、適切な競技環境を提供することが求められる。
【０００４】
人工芝の表面温度上昇を抑制する目的で、下地の上に導水シートを設け、人工芝パイル表面を適度な湿潤状態に維持するものが、特許文献１に開示されている。しかし、毛細管現象を利用して人工芝パイル表面を湿潤状態に維持するため、植毛されたパイルの隙間および通水孔に充填される粒状物質の粒度分布、通水孔の直径、開口率などの各種ファクターをかなり精密に調整する必要があり、温度抑制効果を得るための施工および保守は容易ではない。
【０００５】
また、表面温度上昇を抑制する目的で、人工芝パイル間の充填材として保水性チップを使用するものが、特許文献２に開示されている。これは、チップにスポンジ構造を有する発泡性部材を使用し、温度抑制効果を得るものであるが、保水性チップに水を含ませるための散水が必要であり、また所定の機能を発揮する諸条件に適合するよう保水性チップを作製する必要があり、その施工および保守も容易ではない。
【０００６】
さらには、人工芝や天然芝を敷き詰めたグランドの、下地舗装下に排水管を埋設し、該排水管の端部から立ち上がり管を取り付け、該立ち上がり管の上端に噴霧ノズルを固定し、“温度と乾燥および湿度等を実測するために配置した各種のセンサ”の出力を検出して、前記グラウンドの環境に不適切な場合に、前記配水管に給水して前記グラウンド上に噴霧を放出する技術も特許文献３に開示されている。しかし、この技術はグランドの上方に向けて噴霧するものであり、噴霧が行き渡る箇所の温度や湿度の制御は可能であっても、グランド全体の環境を整えるには、噴霧ノズルひいてはポンプの吐出力を非常に大きくするか、あるいはノズルの数を非常に多くする必要があり、必ずしも実用的ではない。
【０００７】
【特許文献１】特開２００２−３３９３１２号公報
【特許文献２】特開２０１２−２１９５８０号公報
【特許文献３】特開２００６−１７７１３０号公報
【発明の開示】
【発明が解決しようとする課題】
【０００８】
施工、保守を容易に行うことができ、競技グラウンド表面の安定した温度上昇抑制効果を、低施工コストで、しかも低ランニングコストで得ることができる競技グラウンドの冷却システムが求められている。
【課題を解決するための手段】
【０００９】
本発明による競技グラウンド冷却システムは、競技グラウンドの下地層上に所定の間隔をあけて敷設される表層の下に設けられる冷却構造層と、この冷却構造層内に設けられ、表層と平行する方向に向かって霧を噴出する噴霧ノズルと、この噴霧ノズルに給水する給水装置とを有することを特徴とする。
このように構成することにより、噴霧ノズルから噴出された霧により冷却構造層がその内部から冷却され、その上の表層の温度上昇が抑制される。これにより、競技グラウンド表面の温度上昇抑制が図られ、競技者の負担が低減できる。また、平坦な下地層の上に、冷却構造層および表層（たとえば、人工芝層）を順に重ねれば良いので、施工が容易である。また、使用により人工芝層が損傷した場合、通常の人工芝層のみ張り替えれば良く、保守も容易である。
【００１０】
冷却構造層は、グラウンドの下地層と表層の間の所定の間隔を維持するための支持部材を有し、この所定間隔内に噴霧ノズルからの霧の通路が形成されるように構成できる。また、この支持部材と共に、上記の間隔をあけて上側（すなわち上記表層下の）平板状部材および／または下側（すなわち上記下地層上の）平板状部材を有する構成とすることもできる。
このようにすれば、冷却構造層を簡単な構造体とすることができ、特に競技グラウンドの表層を上側平板状部材として使用したり、該グラウンドの下地層を下側平板状部材として使用すれば、より一層簡単な構造体とすることができ、霧の通路の形成およびその強度設計が容易となる。冷却構造層内部の通路を霧が拡散することにより、冷却構造層全体の冷却に効果的となる。また、冷却構造層をパネル形状に構成することも可能となり、施工および保守が容易となる。
【００１１】
また、給水装置は、噴霧ノズルへの給水のために冷却構造層内に設けられた導水パイプを含むことができる。冷却構造層内に導水パイプを設けることにより、下地層の上にパネル形状に構成した冷却構造層を並べて連結することで、施工が容易となる。
しかも、上記の導水パイプを、支持部材の一部として形成することにより、冷却構造層の設計を最適化することができるのみならず、該パイプの材料によってはクッション効果をも発現し、競技者の運動からの衝撃に耐える冷却構造層を容易に得ることができる。
【００１２】
さらに、噴霧ノズルによる噴霧状態を検出する噴霧状態検出センサーを設け、給水装置のコントローラが、該噴霧状態検出センサーの出力に基づいて、目詰まり解消試行動作を制御することもできる。たとえば、噴霧状態検出センサーとして流量計を使用し、流量低下の検出により、ポンプ出力を上昇させることで、目詰まり解消を試行することができる。
また、コントローラが、噴霧状態検出センサーの出力に基づいて、目詰まり箇所を判定するように構成することで、噴霧ノズルの交換、冷却ブロックの交換などを容易に実施することが可能となる。
【発明の効果】
【００１３】
本発明によれば、施工、保守を容易に行うことができるのみならず、競技グラウンド全体をその直下で温度の上昇抑制を行うため、グラウンド全表面の安定した温度上昇抑制効果を、低施工コストで、しかも低ランニングコストで得ることができる競技グラウンドの冷却システムを提供することができる。
【図面の簡単な説明】
【００１４】
【図１】本発明の一実施形態による競技グラウンド冷却システムにおける人工芝グラウンドへの冷却構造層の設置例を示す図である。
【図２】本発明の一実施形態による競技グラウンド冷却システムに使用される冷却構造ブロックの構成例を示す図であり、（Ａ）が基本例、（Ｂ）が応用例、（Ｃ）が他の応用例である。
【図３】本発明の他の実施形態による競技グラウンド冷却システムにおける人工芝グラウンドへの冷却構造層の設置例を示す図である。
【図４】本発明の一実施形態による競技グラウンド冷却システムの給水系統を示す概略構成図である。
【図５】本発明の他の実施形態による競技グラウンド冷却システムの給水系統を示す概略構成図である。
【図６】図５のシステム中のコントローラにおける処理の一例を示すフローチャートである。
【図７】図５のシステム中のコントローラにおける処理の一例を示すフローチャートである。
【発明を実施するための形態】
【００１５】
以下、図面を参照して、本発明の一実施形態による競技グラウンドの冷却システムの構成を説明する。図１において、この実施形態による冷却システムが設置された競技グラウンドは、人工芝層１、その下に冷却構造層２、下地層３の順で積層されている。人工芝層１としては、通常のロングパイル人工芝、ショートパイル人工芝などを使用することができる。図１では、冷却構造層２の詳細は、省略して図示されており、その詳細は後述する。下地層３は、その表面が平坦に仕上げられていればよく、たとえば、路床の上に砕石層を設け、その上に透水性アスファルト舗装を施したものなどが使用できる。
【００１６】
図２（Ａ）は、冷却構造層２を構成する１単位である冷却構造ブロック２０の基本的な構成例を示す。図２（Ａ）には、隣り合って設置される２つの冷却構造ブロック２０ａ、２０ｂが示されており、冷却構造ブロック２０ａについては、おもにその内部構造を示し、冷却構造ブロック２０ｂについては、その内部構造を省略して図示している。２つの冷却構造ブロック２０ａ、２０ｂは、同じ構成を有する。
【００１７】
図２（Ａ）において、冷却構造ブロック２０ａは、上側平板状部材２１および下側平板状部材２２が所定間隔をおいて平行に配置され、これら２つの平板状部材２１，２２を側面部材２３ａ、２３ｂ、２３ｃ、２３ｄで接続してなり、薄い箱形の直方体状の外形をもつ構造物である。冷却構造ブロック２０ａについては、その内部を示すために、上側平板状部材２１を省略して図示しているが、本例では実際には、冷却構造ブロック２０ｂに示すように、上側平板状部材２１により上面が覆われ、その内部が隠されている。上側平板状部材２１および下側平板状部材２２は、仕切り部材２４によっても接続され、略直方体状の空間による区画２５ａ、２５ｂが形成されている。側面部材２３ａ、２３ｂ、２３ｃ、２３ｄ、および仕切り部材２４は、内部空間を維持するための支持部材として機能する。この例では、１つの冷却構造ブロック２０を２つの区画に仕切っているが、１つの区画とすることも、３個以上の区画とすることもできる。
【００１８】
また、上・下平板状部材２１，２２、側面部材２３ａ，２３ｂ，２３ｃ，２３ｄおよび仕切り部材２４には、強度に大きな影響を与えない程度に孔を設けても良いし、ネット状にすることもできる。これにより、冷却構造ブロック２０の内部空間は、その外部と連通することとなり、冷却構造ブロック２０内に噴出するミスト（すなわち冷熱）を該ブロック２０の上・下方、側方へ送出することができる。
【００１９】
これらの上側平板状部材２１、下側平板状部材２２、側面部材２３ａ、２３ｂ、２３ｃ、２３ｄおよび仕切り部材２４は、例えば熱伝導率の良い弾性体の合成樹脂で形成してもよい。
合成樹脂としては、優れた耐衝撃性やクッション性を有するものが好ましく使用でき、冷却構造ブロック２０は、全体としてクッション材としての役割も果たし、競技者のひざへの負担を軽減する。一般に樹脂材料の熱伝導性は、金属に比べて１乃至３桁低い（０．１〜０．３Ｗ／ｍ・Ｋ）が、熱伝導性フィラーを混ぜることによって熱伝導率の高い合成樹脂を得ることができる。また、たとえば熱伝導率２０Ｗ／ｍ・Ｋを超える各種の高熱伝導性合成樹脂も開発されており、これらも使用することができる。
側面部材や仕切り部材の設置間隔が、大きい場合、クッション機能は大きくなるが、上側平板状部材２１が大きく凹んで、競技者が足をとられる原因となることが考えられる。そこで、側面部材や仕切り部材は、競技者の動きにより加えられる衝撃により、上側平板状部材２１が下向きに過度に凹むことがないように、適切な形状および間隔に構成される。
【００２０】
略円形の断面形状をもつ導水パイプ２６が、側面部材２３ａ、２３ｃ、仕切り部材２４を貫通して形成されている。冷却構造ブロック２０の端面は、導水パイプ２６の通過のために開口している。導水パイプ２６は、図示されていないポンプを介して貯水槽、上水道設備などに接続されている。
【００２１】
図２（Ｂ）に示すように、導水パイプ２６１の外径は、上側平板状部材２１および下側平板状部材２２の上下方向間隔とほぼ同じに設定していてもよい。これにより、導水パイプ２６１は、支持部材としても機能し、上方からの荷重に対してより良く耐えることができる。支持部材としての側面部材２３ａ、２３ｂ、２３ｃ、２３ｄおよび仕切り部材２４のいくつかを適宜省略するか、または強度の小さい部材とすることも可能である。
また、図２（Ｃ）に示すように、導水パイプ２６２を、２つの平板状部材２１，２２の間隔と同じ上下方向の大きさをもつ断面が正方形または長方形の筒体としてもよく、これにより、支持部材としての機能が大きくなるよう設計することができる。導水パイプ２６２は、支持部材としても機能し、上方からの荷重に対してより良く耐えることができる。支持部材としての側面部材２３ａ、２３ｂ、２３ｃ、２３ｄおよび仕切り部材２４のいくつかを適宜省略するか、または強度の小さい部材とすることも可能である。
【００２２】
導水パイプ２６（以下、２６１，２６２も含む）は、冷却構造ブロック２０の各部材、すなわち上側平板状部材２１、下側平板状部材２２、側面部材２３ａ、２３ｂ、２３ｃ、２３ｄおよび仕切り部材２４と同じ合成樹脂で形成することができるし、これらの各部材を一体成形することもできる。
【００２３】
導水パイプ２６には、噴霧ノズル２７が水平方向、すなわち上・下側平板状部材２１，２２に対して平行の方向に向けてミスト（霧）を噴出するように設けられている。また、導水パイプ２６を、ステンレス等の金属製パイプとすることもでき、この場合、側面部材２３ａ、２３ｃおよび仕切り部材２４に貫通孔を設けたり、これら部材をネット状体とするなどして、ステンレス等の金属製の導水パイプ２６を通すこともできる。
【００２４】
なお、上・下側平板状部材や側面部材、仕切り部材をもステンレス等の金属製とすることができる。
また、噴出されたミストの拡散を妨げない程度に、支持部材を設けることもできる。支持部材を多く設ければ、競技者による上からの衝撃にさらに耐えることができるが、ミストの拡散を妨げることにもなるので、支持部材の数、形状、大きさ、材質等は、適切に構成される。
【００２５】
なお、本発明において、冷却構造ブロック２０は、図３（Ａ）に示すように、下側平板状部材２２のみとし、上側平板状部材２１を省略して競技グラウンドの表層、図１の実施形態では人工芝層１のベース部材、を上側平板状部材として兼務させることもできる。
逆に、図３（Ｂ）に示すように、上側平板状部材２１のみとし、下側平板状部材２２を省略することもできる。この場合は、下地層３が下側平板状部材として兼務することとなる。
もちろん、図３（Ｃ）に示すように、上・下側平板部材２１，２２を省略し、支持部材である側面部材２３ａ，・・・や仕切り部材２４のみとすることもできる。これら何れの例においても、各部材に貫通孔を設けたり、各部材をネット状体で構成することで、ミストの上・下・側方向への拡散を良好に行うことができる。
また、支持部材は、以上のような板状体に限らず、例えば、ランダムな形状と大きさを有するリング状体が多数連続し、図２や図３（Ａ）〜（Ｃ）に示す各部材で囲まれた空間内に詰め込まれた状態のもの（図３（Ｄ）参照）や、目の大きさや糸の太さが均一であっても不均一であってもよいネット状体のものが詰め込まれた状態のもの（図３（Ｅ）参照）としてもよい。もちろん、このようなリング状体やネット状体を支持部材として使用する場合には、図３（Ｄ），（Ｅ）に示すように、前述の上・下側平板部材２１，２２、側面部材２３ａ，・・・や仕切り部材２４は省略することもできる（全ての部材あるいは何れか1種の部材を使用してもよいことは言うまでもない）。図３（Ｄ）中、３２が上記のランダムな形状と大きさを有するリング状体が多数連続して構成される支持部材（例えば、「ヘチマロン」様の構成のもの）で、図３（Ｅ）中、３３が上記の目の大きさや糸の太さが均一であるいは不均一なネット状体から構成される支持部材である。
【００２６】
以上の実施形態によれば、競技グランドは、以下のように施工される。下地層３上に多数の冷却構造ブロック２０を水平に並べて、冷却構造層２を形成する。その上に、シート状の人工芝を重ね、そのつなぎ目を処理する。冷却構造ブロック２０の端部の導水パイプ２６の開口部同士を一致させることにより、導水パイプ２６が複数の冷却構造ブロック２０にわたって連通し、給水経路が形成される。なお、これら複数の冷却構造ブロック２０をあらかじめ連結しておくことにより、現地での設置が容易となる。
【００２７】
図４に示すように、噴霧ノズル２７が取り付けられた導水パイプ２６は、ポンプ６０、貯水槽６１、送水管６２を介して水道設備に連結されている。また、ポンプ６０は、温度センサー、湿度センサーなどからなるセンサー６３からの信号を受けてコントローラ６４により制御されるようになっており、この冷却システムは、電源スイッチ６５を閉状態にすることにより、動作を開始するようになっている。
【００２８】
次に、このように構成された冷却システムの作用を説明する。競技開始に先立って、電源スイッチ６５を閉状態にして、システムを起動する。センサー６３による温度、湿度などの測定値に基づいて、コントローラ６４がポンプ６０に起動指令を出力する。ポンプ６０が起動すると、水道設備から送水管６２、貯水槽６１を介して、導水パイプ２６に給水され、噴霧ノズル２７からミストが噴出される。噴霧ノズル２７からのミストは、冷却構造ブロック２０内の空間を水平方向に拡散する。すなわち、表層である人工芝層１と平行の方向に拡散する。
【００２９】
これにより、冷却構造ブロック２０内の空間全体が冷却され、上側平板状部材２１、該部材が省略されている場合には、グラウンドの表層あるいは人工芝層１のベース部材が冷却される。冷却される上側平板状部材２１や人工芝層１のベース部材、あるいはグラウンドの表層の上には、人工芝層１があり、人工芝層１上の空間の温度が低減できる。これにより、足元の温度が下がり、グラウンド表面からの輻射熱が減ることで、競技者の体感としては大きな負担軽減となる。
【００３０】
下側平板状部材２２に設けられた下側の孔３１は、冷却構造ブロック２０内に拡散したミストのドレインとしても機能する。降雨時には、人工芝層１を通過した雨水は、上側の孔３０、冷却構造ブロック２０内の空間、下側の孔３１を通り、その下の下地層３へ浸透していく。
平板状部材２１，２２として、上記のような孔３０，３１を設けた板状体に替えて、ネット状体を使用することもできるし、上・下側平板状部材２１，２２の何れか一方あるいは双方を省略することもできる。ネット状体を使用する場合には、ネットの網目が上記の孔３１と同様の作用を示し、これら部材を省略する場合には、人工芝層１のベース部材あるいは下地層３が直接上記のような作用を示すことは言うまでもない。もちろん、図３（Ｄ），（Ｅ）に示すような態様の支持部材３２，３３とする場合にも、優れたドレイン機能を発現することは言うまでもない。
【００３１】
また、上記の実施形態では、表層として、人工芝層の場合を説明したが、たとえば陸上競技場のトラック部分のようにポリウレタンまたは合成ゴムの表層である場合も、同様に本発明が適用できる。また、表層が人工芝と天然芝で構成した混合芝の競技グラウンドにも、本発明は同様に適用できる。この混合芝の場合には、ミストが天然芝への水分供給作用をも有し、天然芝育成のために別途水分を供給する必要はない。
【００３２】
ところで、水を使用する冷却システムにおいて、長期間の使用により、水道水などに含まれるカルシウム成分が導水パイプ２６あるいは噴霧ノズル２７の内部に蓄積し、目詰まりを起こし、所望の噴霧が行えなくなる可能性がある。この対策として、目詰まりを検出する機能を持たせた冷却システムの一実施形態を、図５ないし図７を参照して説明する。
【００３３】
図５において、複数の噴霧ノズル２７−１、２７−２、２７−３が、導水パイプ２６に設けられており、それぞれに流量計２８−１、２８−２、２８−３が、取り付けられている。流量計２８−１、２８−２、２８−３は、噴霧ノズル２７−１、２７−２、２７−３それぞれに送られる水の流量を測定する。ここで、流量計２８−１、２８−２、２８−３は、噴霧状態検出センサーとして働く。噴霧状態を検出できる限り、圧力計など、他のセンサーであってもよい。流量計２８−１、２８−２、２８−３からの流量測定値は、コントローラ６４に与えられ、所定の処理がなされて、その処理結果が、ポンプ６０および表示装置６６に提供されるようになっている。他の構成は、図４と同様である。図５には、噴霧ノズル、流量計が３個ずつ例示されているが、これに限られるものではなく、実際のシステムでは、より多数の噴霧ノズル、流量計が設けられることは、言うまでもない。
【００３４】
コントローラ６４における処理を、図６および図７を参照して説明する。図６中ステップ７０１において、コントローラ６４は、流量計２８−１、２８−２、２８−３からの流量計測値Ｆ１、Ｆ２、Ｆ３を入力する。ステップ７０２において、流量計測値Ｆ１、Ｆ２、Ｆ３のそれぞれと基準値Ｆｒとを比較する。基準値Ｆｒは、噴霧が適切に行われている場合の下限の流量値に対応する。流量計測値Ｆ１、Ｆ２、Ｆ３のいずれかが基準値Ｆｒ以下である場合、システムのいずれかの箇所で目詰まりが生じたものとして、ステップ７０３において、出力を上昇させる指令を、ポンプ６０に与える。ポンプ６０の吐出量が増加し、導水パイプ２６および各噴霧ノズル２７に高い水圧がかかって、目詰まりの解消が期待できる。ステップ７０４において、ポンプ６０の出力を通常の所定値に戻す。ステップ７０５において、ポンプ６０の出力上昇動作の繰り返し回数カウント値Ｎに１を加える。なお、繰り返し回数カウント値Ｎの初期値は、１である。ステップ７０６において、繰り返し回数値Ｎが所定値Ｎｅに達しているかどうかを判定する。繰り返し回数値Ｎが所定値Ｎｅに達していない場合、処理をステップ７０１に戻す。
【００３５】
ステップ７０２において、依然として流量計測値Ｆ１、Ｆ２、Ｆ３のいずれかが基準値Ｆｒ以下である場合、ステップ７０３において、出力を上昇させる指令を、ポンプ６０に与える。ステップ７０４、７０５へ進み、ステップ７０６において、繰り返し回数値Ｎが所定値Ｎｅに達していると判定されると、ポンプ６０の出力上昇によっては目詰まりが解消できないものとして、ステップ７０７において、目詰まり箇所判定へ進むことを決定する。
【００３６】
一方、ステップ７０２において、流量計測値Ｆ１、Ｆ２、Ｆ３のすべてが基準値Ｆｒを上回ると判定された場合、目詰まりがない、あるいは目詰まりが解消したものとして、ステップ７１０において、繰り返し回数値Ｎを１にリセットして、処理をステップ７０１に戻す。このポンプ６０の出力上昇動作は、システムでの目詰まり解消試行動作の一例である。
【００３７】
ポンプ６０の出力上昇によっては目詰まりが解消できなかった場合、図７中のステップ８０１において、目詰まり箇所判定ルーチンを開始する。ステップ８０２において、流量計測値Ｆｉと基準値Ｆｒとを比較し、流量計測値Ｆｉが基準値Ｆｒ以下かどうか判定する。ここで、流量計測値Ｆｉは、導水パイプ２６に設けられた複数の噴霧ノズル２７のうち、上流側からｉ番目の噴霧ノズル２７ｉについての流量計測値である。ｉの初期値は、１である。流量計測値Ｆｉが基準値Ｆｒ以下であれば、ステップ８０３において、噴霧ノズル２７ｉに目詰まりが生じている可能性があると判定する。ステップ８０２での比較結果により、流量計測値Ｆｉが基準値Ｆｒよりも大きいと判定された場合、目詰まりが生じていないものとし、ステップ８１０において、ｉをインクリメントし、処理をステップ８０２に戻す。ステップ８０４において、ｉが噴霧ノズル総数に達したかどうか、判定する。まだ、ｉが噴霧ノズル総数に達していない場合、ステップ８１１において、ｉをインクリメントし、処理をステップ８０２に戻す。
【００３８】
このように、ステップ８０２における比較は、導水パイプ２６に設けられた噴霧ノズルの全てについて行われ、目詰まりが生じている可能性がある噴霧ノズル２７ｉが特定され、ステップ８０４において、目詰まり判定が終了する。この目詰まり判定結果を、表示装置６６に表示する。表示装置６６として、たとえば液晶表示装置を使用し、導水パイプ２６および噴霧ノズル２７ｉ（２７−１，２７−２，２７−３、．．．．）の配置を模式的に画面表示する。そして、目詰まりの可能性があると判定された噴霧ノズルについて、たとえばその色を変えるように表示する。このように表示すれば、目詰まりが生じている全ての噴霧ノズルを把握することができる。
一方、たとえば、噴霧ノズル２７−２以降の下流側の全ての噴霧ノズル（２７−２，２７−３，２７−４、．．．．）に目詰まりが生じている可能性があると表示されている場合、実際には、噴霧ノズルの目詰まりではなく、導水パイプ２６の噴霧ノズル２７−２より上流側に目詰まりが生じている可能性がある。
このように、保守作業員は、表示装置６６の表示を見て、導水パイプ２６における目詰まりの箇所を推定することもできる。表示装置６６は、視覚的表示の他、ブザー音、音声などの聴覚的表示が可能なものを含む。
【００３９】
保守作業員は、特定された噴霧ノズル目詰まり箇所の上にある人工芝層１をはがし、該当する噴霧ノズルのみを交換することができる。また、該当する噴霧ノズルを含む冷却構造ブロック２０を交換することもできる。とくに、導水パイプ２６での目詰まりが推定される場合、対応する部分の冷却構造ブロック２０を交換することが良い。このように、本実施形態によれば、目詰まりが生じた場合に、その箇所を迅速に特定または推定し、支障のある冷却ブロック単位で交換することが可能であり、保守が容易となる。
【符号の説明】
【００４０】
１    人工芝層
２    冷却構造層
３    下地層
２０、２０ａ、２０ｂ  冷却構造ブロック
２１  上側平板状部材
２２  下側平板状部材
２３ａ、２３ｂ、２３ｃ、２３ｄ  側面部材
２４  仕切り部材
２５ａ、２５ｂ  区画
２６，２６１，２６２  導水パイプ
２７  噴霧ノズル
２８  流量計
３０、３１  孔
３２  リング状体
３３  ネット状体
６０  ポンプ
６１  貯水槽
６２  送水管
６３  センサー
６４  コントローラ
６５  電源スイッチ
６６  表示装置
【図４】
2015155638.tif 000003
【図５】
2015155638.tif 000004
【図６】
2015155638.tif 000005
【図７】
2015155638.tif 000006
【図１】
2015155638.tif 000007
【図２】
2015155638.tif 000008
【図３】
2015155638.tif 000009